(57)【特許請求の範囲】
【請求項１】
織機のヘルド枠に所属して設けられた牽引装置の係合ロッドを有する織成システムの揺動アームの旋回する組立体のための調整可能な把持装置であって、
この把持装置が、その外方に開口されたフレームを通して遊隙を持って係合された揺動アームを３つの側面で囲繞する、すべり部材の様式のあぶみ形部材を備えており、且つ、
この把持装置には、一方でこの揺動アームに沿ってこのフレームの固定を保証するために、他方でこの揺動アームの軸線と垂直方向にこのフレームの位置の調整を保証するために、この揺動アームのそれぞれの側で、このあぶみ形部材の内部に配置された可動な固定ジョーに対して作用するように配置された操作機構が、備えられている様式のドビー機のための調整可能な把持装置おいて、
フレームが、
一方では、あぶみ形部材の曲折部に係合した１番目の操作可能なウェッジに関連した、二つのジョーのための二つの１番目の横方向の案内部と、
他方で、このあぶみ形部材の分岐部の自由端の間に配置された２番目の中央ウェッジによって制御される二つのジョーのための二つの２番目の横方向の案内部とを備えており、
その際、操作機構が、このあぶみ形部材の分岐部の自由端の間に固定された間隔部材のタップ孔内に係合され、且つ、このあぶみ形部材の屈曲部の方向にこの２番目ウェッジを押圧し、同時に、この１番目のウェッジをこれと反対の方向に牽引するために配置されたねじを備えている、
ことを特徴とするドビー機のための調整可能な把持装置。
【請求項２】
摩擦によって揺動アームに沿ったこの把持装置の仮の保持を確保するために、中央ウェッジに作用する弾性手段が、押えねじとこの中央ウェッジとの間に挿入されていることを特徴とする請求項１に記載のドビー機のための調整可能な把持装置。
【請求項３】
あぶみ形部材に関するフレームの位置が、このあぶみ形部材の間隔部材およびこのフレームに各々固定された２つの側方の突起部と協動する、２つの向かい合うねじ山を有する調整ねじによって調整されるように構成されていることを特徴とする請求項１に記載のドビー機のための調整可能な把持装置。
【請求項４】
フレームが、一方の端部において、この１番目の横方向の案内部を形成する二つの横方向の突出部を備えたアイレットを、および他方の端部において、この２番目の横方向の案内部を形成する二つの他の横方向の突出部とが固定されている担持面を備えていることを特徴とする請求項１に記載のドビー機のための調整可能な把持装置。
【請求項５】
フレームの担持面が、あぶみ形部材のための案内部を形成するように、その中に設けられた長手方向の凹部を有し、これに対して、フレームの突出部即ち案内部が、このあぶみ形部材の２つの長手方向の分岐部の間に挿入されている段差部を有することを特徴とする請求項４に記載のドビー機のための調整可能な把持装置。
【発明の詳細な説明】
【０００１】
【発明の属する技術分野】
本発明は、織機における開口形成のための織成システムに関する。より詳細には、織機のヘルド枠に関連して設けられた牽引装置の係合ロッドを有するシステムの揺動アームの組立体の旋回を保証する調整可能な把持装置に関する。
【０００２】
【従来の技術】
図１において、上述した、符号１で示す把持装置を伴う牽引装置を、概略的に図示されている。この把持装置１は、システム３の１つの揺動アーム２の軸線（矢印Ｆ１）に沿ってどんな位置でも固定することができ、係合ロッド４に結合されたヘルド枠ＣＬの垂直方向のストロークの大きさを調整できる。さらに係合ロッド４の接合部のための把持装置を枢支する結合点５は、矢印Ｆ２の方向に移動することができ、結果として、織機に対してヘルド枠ＣＬの高さの調整を許容する。
【０００３】
フランス特許明細書ＦＲ−Ａ−２  ３９８  １３６（ＳＴＡＵＢＬＩ）により、フレームを形成する管状部材６（図２参照）によって構成される調整可能な把持装置が知られており、このフレームは、このフレームの一方の端部で結合点のピン５を支持する。この部材６は、この中に切欠かれたノッチ６ａを有し、このノッチは揺動アーム２を考慮することで広い隙間をもって横切っており、またこのフレームは、この部材６の内部で軸方向に向けられたあぶみ形部材（Ｕ字形部材ｓｔｉｒｒｕｐ）７の曲折部（ｂｏｔｔｏｍ）によって揺動アーム２の３つの面を取り囲こみ、いわばすべり部材のように可動する。揺動アーム２に沿ったこのあぶみ形部材即ちすべり部材７の固定は、中央ウェッジ１０によってそれ自体が動作される２つの向かい合う横方向の傾斜面９によって制御されるジョー部材８によって確保される。このウェッジは、あぶみ形部材７の分岐部（ｂｒａｎｃｈｅｓ）の自由端に固定された部材１２のタップ孔にねじ止めされた押えねじ１１に関連して設けられている。即ちこの部材１２は２つの向かい合うねじ山で調整ねじ１３の動作を受け、このねじ山は、ピン即ち接合点の端部で枢支する間隔部材１４と協働する。
【０００４】
調整ねじ１３がすべり部材即ちあぶみ形部材に関する部材６の軸方向位置の調整を許容し、結果として係合ロッド４に関する接合点５の調整を許容するということが理解でき、これに対して押えねじ１１を操作するということは、揺動アーム２に沿った所望の高さでこの部材６の固定を保証することが理解できる。
しかしながら、これらの環状部材６の側板は、ピン５を間隔部材１４の方向に向けられたノッチ６ａの端部から離れる距離ＰＦを越えてオーバーハング（突出）した状態で作動し、その際、この管状部材の側板には、本質的にこの係合ロッド４の様々な傾きによって誘起される強度な横方向及び軸方向の力が作用する。実際には、織成システム３の揺動アーム２の非常に接近して並んだ配置が、補強のために余分に厚くすることを妨げるので、この側板は壊れやすくかつ織成システムの性能は、実際上制限されている。
【０００５】
この欠点を克服する目的で明細書ＥＰ−Ａ−０  ６３３  ３３５  （ＳＴＡＵＢＬＩ）及び  ＥＰ−Ａ−０  ２５２  １７７  （ＫＡＩＳＥＲ）により、特に揺動アームのもう一方側であぶみ形部材の内部に配設された可動性の固定ジョーを有する外方に開口された（切り開かれた）フレーム（ｏｐｅｎ−ｗｏｒｋ  ｆｌａｍｅ）を備え、かつ同時にこれら全てのジョーに作用するように操作される機構を配置することが提案されている。
【０００６】
このような構成は、把持装置に関連して設けられた揺動アームに対して把持装置の固定において殆ど全てのオーバーハングを除去しているにもかかわらず、ＥＰ−Ａ−０  ６３３  ３３５  （ＳＴＡＵＢＬＩ）の場合、構成部材の間に設けられた必要な隙間によって起こる損耗が生じ、ＥＰ−Ａ−０  ２５２  １７７  （ＫＡＩＳＥＲ）  の場合組立体の種々の部材の複雑さ及び壊れやすさから生じる多くの欠点には注意が払われていない。
【０００７】
【発明が解決しようとする課題】
そこで本発明は、上述したような無視できない欠点を克服することを課題とするものである。
【０００８】
【課題を解決するための手段】
上記課題は本発明により、
織機のヘルド枠に所属して設けられた牽引装置の係合ロッドを有する織成システムの揺動アームの旋回する組立体のための調整可能な把持装置であって、
この把持装置が、その外方に開口されたフレームを通して遊隙を持って係合された揺動アームを３つの側面で囲繞する、すべり部材の様式のあぶみ形部材を備えており、且つ、
この把持装置には、一方でこの揺動アームに沿ってこのフレームの固定を保証するために、他方でこの揺動アームの軸線と垂直方向にこのフレームの位置の調整を保証するために、この揺動アームのそれぞれの側で、このあぶみ形部材の内部に配置された可動な固定ジョーに対して作用するように配置された操作機構が、備えられている様式のドビー機のための調整可能な把持装置おいて、
フレームが、
一方では、あぶみ形部材の曲折部に係合した１番目の操作可能なウェッジに関連した、二つのジョーのための二つの１番目の横方向の案内部と、
他方で、このあぶみ形部材の分岐部の自由端の間に配置された２番目の中央ウェッジによって制御される二つのジョーのための二つの２番目の横方向の案内部とを備えており、
その際、操作機構が、このあぶみ形部材の分岐部の自由端の間に固定された間隔部材のタップ孔内に係合され、且つ、このあぶみ形部材の屈曲部の方向にこの２番目ウェッジを押圧し、同時に、この１番目のウェッジをこれと反対の方向に牽引するために配置されたねじを備えている、ドビー機のための調整可能な把持装置によって解決される。
【０００９】
【発明の実施の形態】
以下に添付した図面を用いて本発明の実施の形態について説明する。
図３，４において示した把持装置はフレーム１５を形成する主部材を備えており、本発明の実施形態ではフレーム１５が、一方で織成システムに関連して設けられた牽引装置の連結ロッドに枢着された結合部のためのピンを収容するのに適合するアイレット１６と、他方で（実際はアイレット１６の反対側の端部の近くに）２つの突出した案内部１７とがリベットで止めることによって、このフレームの一方の面に付設された担持面を備えていることによって構成されている。後述することから容易に理解できるように、アイレット１６自体もまた案内部を形成する２つの突出した部分を有する。
【００１０】
このようにフレーム１５が形成されている場合に、すべり部材１８がアイレット１６の反対側で開口したあぶみ形部材の形で関連して設けられている。このすべり部材１８の２つの分岐部の自由端は互いに間隔部材１９によって結合されており、この間隔部材１９の内部にはタップ孔が中央に設けられており、このタップ孔は押えねじ２０と係合する。この間隔部材１９の横方向の突起部１９ａには、段付きの調整ねじ２１の２つのねじ山の一方がねじ止めされており、他方のねじ山がフレーム１５の２つの案内部１７の一方の横方向の突起部１７ａに形成されたタップ孔と協働する。
【００１１】
すべり部材１８の曲折部が突出したウェッジ２２を備えており、このウェッジ２２の斜めの端部が、案内部１６ａに対して横方向に隣接する２つのジョー２３と協働する。同様に案内部１７は、中央ウェッジ２５と協働する２つのジョー２４のための案内面を形成する。スプリング２６がウェッジ２５と押えねじの向かい合う端部の間に挿入されている。
【００１２】
今述べたような把持装置の利用の機能と形態は、上述した説明から当然の結果として生じ、かつ容易に理解できる。
先ず把持装置は、取付けられた状態で揺動アーム２に係合されるので、２つの横方向のジョー２３と２４との間に存在する空域内に、即ちこのあぶみ形部材の２つの分岐部間で揺動アーム２をこのあぶみ形部材に案内するだけで十分である。
【００１３】
その場合押えねじ２０は僅かに固く締められることにより、スプリング２６を経て２つのジョー２４まで僅かに圧力をウェッジ２５に伝える。同時に押えねじ２０は、牽引力によって間隔部材１９を経てあぶみ形部材に、ウェッジ２２に及びジョー２３に作用する。このようにして押えねじ２０の僅かな締め付けにより、一時的に揺動アーム２に沿った把持装置の滑りが回避され、僅かな摩擦が完全な締め付けモーメントに達するまでの重力の影響を補うことができる。
【００１４】
その場合、作業者がフレーム１５を移動するための調整ねじ２１を操作し、これにより所望のヘルド枠ＣＬの高さに応じてあぶみ形部材に対してアイレット１６（図３の距離ｄ）が操作される。
最後に、作業者が把持装置の最後の錠止を確実にするために押えねじ２０を締め付ける。即ち、一方では今問題の所望のヘルド枠ＣＬのストロークの大きさに応じて揺動アーム２に沿ったその位置に、他方ではアイレット１６の位置に固定するために締め付けが行われる。この２段階の錠止は、ジョー２３及び２４の対をなす傾斜面におけるウェッジ２２及び２５のランプの同時の動作に起因し、押えねじ２０はあぶみ形部材の底部方向に中央ウェッジ２５を押圧し、その際、反対の方向にウェッジ２２を引っ張る。
【００１５】
この利用の形態は、結局図２に示した従来の把持装置の形態と殆ど一致しているが、それにもかかわらず寸法が事実上修正されること無しに著しく頑丈なものが得られる。織機が作動している時、いかに荷重がロッド４を介してアイレット１６に与えられても、案内部或いは完全に堅い支承面１６ａ及び１７に隣接するジョー２３及び２４によって揺動アーム２のどちらか一方側に影響する締め付けは、不時のどんな曲げにも対抗する。同様に、オーバーハングのどんな有害な影響も除去され、その際、この構造は単純であり、更に、各部品の早期の損耗及び破損を生じる如何なる遊隙も必要ではない。
【００１６】
すべり部材即ちあぶみ形部材１８と接するフレーム１５の案内部が、一方では図４の符号１５ａで示した長手方向の凹部を有するこのフレームに設けることによって、他方ではこのあぶみ形部材の２つのフランジの間に係合することに適合した突出部即ち段差部１７ｂを有する案内部１７を備えることによって有利に改良されていることがわかる。
【００１７】
さらに有利なことは、ジョー２３及び２４が鼻状突起部を備えていることであり、この鼻状突起部は、把持装置が揺動アームに接していない場合の位置にジョー２３及び２４を保持されることを保証する。このように各ジョー２３は、揺動アーム２の反対側のその端部で、反対側のジョー２３の方向に向けられた鼻状突起部２３ａを有し、各ジョー２４は、このジョーの傾斜面のほぼ真中でウェッジ２５に当接し、このウェッジ２５の方向に向けられた鼻状切欠き部２４ａと、その端部で両ジョー２４に対して相反する方向に向けられた鼻状突起部２４ｂとを有する。
【００１８】
上述したねじ２０及び２１と異なった押圧及び調整の機構は、揺動アームに沿って把持装置を固定するために、そしてあぶみ形部材即ちすべり部材に対してヘルド枠を移動させるために使用されている。
【図面の簡単な説明】
【図１】図１は、本発明の調整可能な把持装置の機能を示した図である。
【図２】図２は、上述したフランス国特許明細書  ＦＲ−Ａ  ２  ３９８  １３６  号によって開示された従来技術を示した図である。
【図３】図３は、本発明に従う把持装置の一部を破断して示す側面図である。
【図４】図４は、図３の組立体の把持装置を構成する種々部材を示す斜視図である。
【符号の説明】
２                  揺動アーム
１５                フレーム
１６                アイレット
１７                案内部
１８                すべり部材、  あぶみ形部材
１９                間隔部材
１９ａ              突起部
２０                押えねじ
２１                調整ねじ
２２                ウェッジ
２３，２４          ジョー
２５                中央ウェッジ
２６                スプリング
【図１】
0003628104.tif 000002
【図２】
0003628104.tif 000003
【図３】
0003628104.tif 000004
【図４】
0003628104.tif 000005